(57)【特許請求の範囲】
【請求項１】
待機位置に保持された操作部材と、該操作部材を前記待機位置へと戻し方向に付勢する戻しバネと、前記操作部材を押圧したときに該操作部材の後退を検知するスイッチとを含む操作スイッチ装置を備えた遊技機において、
前記操作部材を略同一面上でフローティング可能に支持するフローティング支持手段を備え、
該フローティング支持手段は、
前記操作部材を所定の操作方向に押圧したときに該操作方向に離間し且つ前記操作部材を前記操作方向と交差する交差方向に押圧したときに前記操作部材を後退させる第１案内手段と、
前記操作部材の押圧方向に応じて前記操作部材を追従させる第２案内手段とを備えた
ことを特徴とする遊技機。
【請求項２】
前記第１案内手段と前記第２案内手段とを前記操作方向に間隔を置いて備えた
ことを特徴とする請求項１に記載の遊技機。
【請求項３】
前記第１案内手段は前記操作部材と該操作部材を保持する保持部材との一方に設けられたカム部と、他方に設けられ且つ前記操作部材を前記交差方向に操作したときに前記カム部に沿って前記操作部材を後退させるカム従動部とを備えた
ことを特徴とする請求項１又は２に記載の遊技機。
【請求項４】
前記第２案内手段は前記操作部材と前記保持部材との一方に設けられた案内部と、他方に設けられ且つ前記案内部内に挿入された突部とを備え、且つ前記スイッチよりも前記第１案内手段側に配置されている
ことを特徴とする請求項３に記載の遊技機。
【請求項５】
前記操作部材は前記操作方向に対応する第１操作面と、該第１操作面の両側に配置され且つ前記交差方向に対応する第２操作面とを備えた
ことを特徴とする請求項１〜４の何れかに記載の遊技機。
【請求項６】
前記操作部材を保持する保持部材の開口に入る突出部と、該突出部に対して前記略同一面方向の両側で前記保持部材の開口縁に内側から当接して前記開口を塞ぐ塞ぎ部とを備え、
前記突出部と前記開口との間に隙間がある
ことを特徴とする請求項１〜５の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
スロットマシン等の遊技機では、筐体内に左右方向に３個の回転リールを有するリール式表示装置を配置し、筐体の前面の前面パネルに、各回転リールに対応する左右方向に３個の停止ボタンを有する操作スイッチ装置を配置している。そして、各回転リールが回転を開始した後に、各回転リールに対応する停止ボタンを順次操作して回転リールを停止させて、各回転リールの外周に表示された遊技図柄の内、入賞ラインに対応して停止表示された遊技図柄が所定の大当たり態様の組み合わせのときに多数のメダルを遊技者に対して払い出すようにしている。
【０００３】
操作スイッチ装置は通常停止ボタンを前後方向に配置して前から後方へと押圧するのが一般的であるが、近年の操作スイッチ装置では遊技者の操作時の利便性を考慮して二方向からも操作できるようにしたものが提案されている（特許文献１）。
【０００４】
この操作スイッチ装置は、操作パネル部の前上隅内に、その上面側と前面側とに対応して操作部を有する操作部材を配置すると共に、この操作部材を横方向の支軸により回動自在に枢支して、二つの操作部の何れを操作したときにも、操作部材が枢軸廻りに回動して検出スイッチが作動するようになっている。
【先行技術文献】
【特許文献】
【０００５】
【特許文献１】特開２００１−１９８２５７号公報
【発明の概要】
【発明が解決しようとする課題】
【０００６】
この操作スイッチ装置は、二方向から操作部材を操作できるので、一方向のみの場合に比較して操作時の利便性が向上するが、枢軸を通る方向に操作部を押圧したときには操作部材は回動しない。このため遊技者は常に操作部の押圧方向を間違わないように操作しなければならず、例えば押圧方向の間違いを知らずに操作部に大きな押圧力を加えたときには、単に操作部材が回動しないだけでなく、手指に対して非常に大きな衝撃が加わる等の問題がある。
【０００７】
本発明は、このような従来の問題点に鑑み、略同一平面上の所定範囲内で任意の方向に操作部材を押圧操作できる操作スイッチ装置を備えた遊技機を提供することを目的とする。
【課題を解決するための手段】
【０００８】
本発明は、待機位置に保持された操作部材と、該操作部材を前記待機位置へと戻し方向に付勢する戻しバネと、前記操作部材を押圧したときに該操作部材の後退を検知するスイッチとを含む操作スイッチ装置を備えた遊技機において、前記操作部材を略同一面上でフローティング可能に支持するフローティング支持手段を備え、該フローティング支持手段は、前記操作部材を所定の操作方向に押圧したときに該操作方向に離間し且つ前記操作部材を前記操作方向と交差する交差方向に押圧したときに前記操作部材を後退させる第１案内手段と、前記操作部材の押圧方向に応じて前記操作部材を追従させる第２案内手段とを備えたものである。
【０００９】
前記第１案内手段と前記第２案内手段とを前記操作方向に間隔を置いて備えたものでも良い。
【００１０】
前記第１案内手段は前記操作部材と該操作部材を保持する保持部材との一方に設けられたカム部と、他方に設けられ且つ前記操作部材を前記交差方向に操作したときに前記カム部に沿って前記操作部材を後退させるカム従動部とを備えても良い。前記第２案内手段は前記操作部材と前記保持部材との一方に設けられた案内部と、他方に設けられ且つ前記案内部内に挿入された突部とを備え、且つ前記スイッチよりも前記第１案内手段側に配置される場合もある。
【００１１】
前記操作部材は前記操作方向に対応する第１操作面と、該第１操作面の両側に配置され且つ前記交差方向に対応する第２操作面とを備えても良い。前記操作部材を保持する保持部材の開口に入る突出部と、該突出部に対して前記略同一面方向の両側で前記保持部材の開口縁に内側から当接して前記開口を塞ぐ塞ぎ部とを備え、前記突出部と前記開口との間に隙間があっても良い。
【発明の効果】
【００１２】
本発明によれば、略同一平面上の所定範囲内で任意の方向に操作部材を押圧操作できる利点がある。
【図面の簡単な説明】
【００１３】
【図１】本発明の第１の実施形態を示すスロットマシンの斜視図である。
【図２】同操作スイッチ装置の平面断面図である。
【図３】同要部の側面断面図である。
【図４】同要部の平面断面図である。
【図５】同要部の側面断面図である。
【図６】同被検知部とスイッチとの関係の説明図である。
【図７】同第１案内手段の断面図である。
【図８】同ｂ矢示方向に操作したときの動作説明図である。
【図９】同ｃ矢示方向に操作したときの動作説明図である。
【図１０】同ｄ矢示方向に操作したときの動作説明図である。
【図１１】同ｅ矢示方向に操作したときの動作説明図である。
【図１２】同ｆ矢示方向に操作したときの動作説明図である。
【図１３】本発明の第２の実施形態を示す操作スイッチ装置の側面断面図である。
【図１４】本発明の第３の実施形態を示す操作スイッチ装置の側面断面図である。
【図１５】同平面断面図である。
【図１６】本発明の第４の実施形態を示す操作スイッチ装置の側面断面図である。
【図１７】同平面断面図である。
【図１８】本発明の第５の実施形態を示す操作スイッチ装置の側面断面図である。
【発明を実施するための形態】
【００１４】
以下、本発明の実施形態を図面に基づいて詳述する。図１〜図１２は本発明をスロットマシンに採用した第１の実施形態を例示している。図１において、遊技機本体１は、筐体２と、この筐体２の前側に配置された矩形状の前面パネル３とを備えている。筐体２は例えば左右一対の側板４ａ，４ｂと、それら左右の側板４ａ，４ｂの上下両端側を左右に連結する上板５及び底板６と、背面側を略塞ぐ背板７とにより前側が開放する箱形に形成されている。前面パネル３は筐体２の前側を開閉自在に閉鎖するようにヒンジ（図示省略）を介して開閉、着脱自在に装着されている。
【００１５】
筐体２内には、左右方向に３個の回転リール８ａ〜８ｃを有するリール式の回転表示手段９が配置されている。各回転リール８ａ〜８ｃは外周に複数個の遊技図柄が付されており、図外の駆動モータの駆動により横軸廻りに回転すると共に、個別に停止可能である。なお、筐体２内の下部にはメダルホッパー、メダル払い出し手段等が設けられている。
【００１６】
前面パネル３は第１表示窓１０、第２表示窓１１、操作パネル部１２、メダル受け皿１３等が配置されている。第１表示窓１０、第２表示窓１１は前面パネル３の上部に上下に配置されている。第１表示窓１０は第２表示窓１１の上側にあり、この第１表示窓１０に対応して前面パネル３の裏側には液晶表示式等の演出表示手段１４が設けられている。第２表示窓１１は回転表示手段９に対応しており、各回転リール８ａ〜８ｃの外周に付された遊技図柄を第２表示窓１１を経て視認するようになっている。
【００１７】
操作パネル部１２は第２表示窓１１の下側に横長状に配置されている。この操作パネル部１２の上面側にはメダル投入口１５、１ベットボタン１６、マックスベットボタン１７、クレジット精算ボタン１８等が設けられている。操作パネル部１２の前面側にはスタートレバー１９、操作スイッチ装置２０、メダル返却ボタン２１が設けられている。
【００１８】
操作スイッチ装置２０には、図２に示すように、回転リール８ａ〜８ｃの回転を停止させるための停止ボタン２２ａ〜２２ｃが各回転リール８ａ〜８ｃに対応して左右方向に３個設けられており、この停止ボタン２２ａ〜２２ｃを押圧操作したときに内部のスイッチ２３ａ〜２３ｃがその操作を検知して、対応する回転リール８ａ〜８ｃが停止するようになっている。
【００１９】
次に停止ボタン２２ａ〜２２ｃを操作部材２６、スイッチ２３ａ〜２３ｃをスイッチ２９として、操作スイッチ装置２０の具体的構造を説明する。この操作スイッチ装置２０は、図２〜図５に示すように、ケース状の保持部材２５と、この保持部材２５内にフローティング可能に設けられ且つ待機位置Ｘに保持された左右方向に３個の操作部材２６と、保持部材２５内に設けられ且つ各操作部材２６を待機位置Ｘへと戻し方向に付勢する戻しバネ２７と、保持部材２５内の基板３９に各操作部材２６に対応して装着され且つ各操作部材２６が押圧により後退したときに被検知片２８を介して操作部材２６の後退を検出するスイッチ２９とを備えている。
【００２０】
保持部材２５は、図２〜図５に示すように、上下方向の略中央部が山形状に突出し且つ左右方向に長い横長状の操作カバー３０と、この操作カバー３０の裏側に装着された左右方向に長い横長状のケース体３１とを備えている。操作カバー３０には上下方向に長い角孔状の開口３３が各操作部材２６に対応して左右方向に３個形成されている。なお、開口３３の外周には裏側に屈曲する開口縁３４が設けられている。ケース体３１には各開口３３側から反対側の裏側へと凹入する第１収容部３５と、この第１収容部３５の後端から段部３８を介して裏側へと凹入する第２収容部３６とを有する。
【００２１】
基板３９はケース体３１の裏側の開口内に左右方向に配置され、取り付けボス４１等を介してケース体３１に裏側から着脱自在に固定されている。この基板３９には、図２〜図５に示すように、各操作部材２６を検知するスイッチ２９、各操作部材２６の操作部４４側を発光させる発光体４２、外部接続用のコネクタ４５等が前面側に装着され、裏側から保護カバー４６により覆われている。発光体４２は回転リール８ａ〜８ｃの回転開始後に停止操作可能になったときに点灯して操作部材２６の操作部４４側を発光させるようになっている。
【００２２】
スイッチ２９は被検知片２８を非接触で検知する非接触式であり、例えば被検知片２８が光を遮光したときに操作部材２６を検知する光透過式の光センサが用いられている。そして、このスイッチ２９は操作部材（停止ボタン２２ａ〜２２ｃ）２６の停止操作を検知したときに、その操作部材（停止ボタン２２ａ〜２２ｃ）２６に対応する発光体４２を消灯し、回転リール８ａ〜８ｃを停止させるようになっている。なお、スイッチ２９は被検知片２８が光を反射したときに操作部材２６を検知する光反射式でも良い。またその他の非接触式でも良いし、接触式でも良い。
【００２３】
被検知片２８は、図６（Ａ）に示すように、スイッチ２９の投受光等による検知位置Ｙの近傍に、第１被検知部４７ａと、この第１被検知部４７ａの幅方向の一端から後方へと略直角状に突出する第２被検知部４７ｂと、第１被検知部４７ａ及び第２被検知部４７ｂの隅部に斜め方向に配置された第３被検知部４７ｃとを有し、操作部材２６が待機位置Ｘにあるときには、各被検知部４７ａ〜４７ｃによって形成された切り欠き部４７ｄに各スイッチ２９の検知位置Ｙが位置している。なお、第１被検知部４７ａ、第２被検知部４７ｂ、第３被検知部４７ｃは円弧状に設けてもよい。また被検知片２８の後端側には、図６（Ｂ）に示すように、切り欠き部４７ｄを挟んでコ字状に遮光又は反射用の被検知部４７ｂ，４７ｃを配置してもよい。
【００２４】
操作部材２６は、図３〜図５に示すように、操作部４４を有し且つ第１収容部３５内に配置された第１部材４９と、この第１部材４９の裏側に着脱自在に結合されて一体化され且つ第２収容部３６内に配置された第２部材５０とを有し、保持部材２５との間のフローティング支持手段５１を介して前後及び上下を含む略同一面上でフローティング可能に支持され、操作部４４を戻しバネ２７に抗して略同一面上の異なる方向に押圧操作したときにもフローティング範囲内で後退して、その後退をスイッチ２９が検知するようになっている。
【００２５】
第１部材４９は図３〜図５に示すように中空状であって、操作カバー３０の開口３３に裏側から入る突出部５４と、突出部５４の前面に形成され且つ開口３３から前面に露出する操作部４４と、突出部５４の後端から外周に拡がって設けられ且つ開口３３を裏側から塞ぐ塞ぎ部５５と、塞ぎ部５５の裏側に設けられた周壁部５６とを有する。
【００２６】
突出部５４の前端側の操作部４４は、図３〜図５に示すように、操作カバー３０に対応して側面視山形状であり、その上下方向の中央に突出する中央操作面（第１操作面）４４ａが、この中央操作面４４ａの上下両側に傾斜操作面（第２操作面）４４ｂ，４４ｃが夫々設けられており、前後及び上下方向の略同一面上で前側から操作部４４を任意の方向に操作できるようになっている。塞ぎ部５５、開口縁３４は操作カバー３０に対応して上下方向の略中央が前となる側面視山形状であって、戻しバネ２７の付勢により塞ぎ部５５が開口縁３４に当接して操作部材２６を待機位置Ｘに保持するようになっている。なお、開口縁３４の左右両側の側部３４ａと塞ぎ部５５の左右両側の側部５５ａと戻しバネ２７とにより、操作部材２６を待機位置Ｘに保持する待機位置保持手段５７が構成されている。
【００２７】
突出部５４は、図３〜図５に示すように、待機位置Ｘのときに開口３３の略中央に配置され、この突出部５４の上下両側には開口３３の上下の開口縁３４との間に所定の隙間Ｚ１，Ｚ２があり、その両側の隙間Ｚ１，Ｚ２の範囲内で操作部材２６の操作部４４は上下方向に移動可能である。塞ぎ部５５は隙間Ｚ１，Ｚ２の範囲内で突出部５４が上下方向に移動したときにも、開口３３を裏側から塞ぐ大きさになっている。
【００２８】
第２部材５０は、図３〜図５に示すように、前端側が第１部材４９の周壁部５６に挿入された裏側から結合された外周壁部５９と、この外周壁部５９の内側に一体に形成された前広がり状の反射壁部６０とを備えている。外周壁部５９側には両側のスリット部５９ａを介して係合爪６２が設けられ、この係合爪６２の爪部６２ａが第２収容部３６の係合部６１に対して裏側から係脱自在に係合している。係合爪６２は外周壁部５９の内外方向、即ち爪部６２ａが係合部６１に係脱する方向に弾性変形可能である。
【００２９】
反射壁部６０内には後壁孔６３を経て挿入された発光体４２が配置され、操作部材２６が操作可能になって発光体４２が発光したとき、その光を第１部材４９側に反射させるようになっている。外周壁部５９と反射壁部６０との間には周方向に複数の補強リブ６５が設けられ、この補強リブ６５を介して第２部材５０の裏側に戻しバネ２７が当接している。戻しバネ２７は例えば圧縮コイルバネであり、その後端は第２収容部３６の後壁部３６ａに当接して、その後壁部３６ａに環状に形成されたバネ支持部６６により保持されている。
【００３０】
第２部材５０には、後方に突出する一対の被検知片２８が設けられており、その一方の被検知片２８に対応してスイッチ２９が設けられている。なお、被検知片２８はスイッチ２９に対応して１個あればよい。
【００３１】
フローティング支持手段５１は、図３〜図５に示すように、操作部材２６の前後方向（待機位置Ｘを通る操作部材２６の長手方向）に所定の間隔を置いて配置された第１案内手段５２と第２案内手段５３とを備え、この両案内手段５２，５３により操作部材２６を協働してフローティング可能に支持するようになっている。
【００３２】
第１案内手段５２は操作部４４を前後方向又は前後方向に近い方向に押圧したときに離間し且つ操作部４４を中央操作方向と交差する交差方向に押圧したときに操作部材２６を後退させるもので、図７に示すように、第１部材４９の左右両側で保持部材２５の開口縁３４に設けられたカム部６７と、第１部材４９の左右両側に設けられ且つ操作部４４を前後方向と交差する交差方向に操作したときにカム部６７に沿って後退方向に案内されるカム従動部６８とを備えている。
【００３３】
カム部６７は開口縁３４の上下方向の略中央部に前側へと凹入状に形成された第１カム面６７ａと、この第１カム面６７ａの上下両側に傾斜状に形成された第２カム面６７ｂ及び第３カム面６７ｃを有する。カム従動部６８は突出部５４の左右両側で上下方向の略中央から前側に突出しており、各カム面６７ａ〜６７ｃに対して上下方向に摺動自在に当接している。
【００３４】
第２案内手段５３は、図３〜図５に示すように、保持部材２５の第２収容部３６の左右両側に設けられ且つ後端側から前側へと凹入状に切り欠き形成された案内部７０と、操作部材２６の第２部材５０の左右両側に設けられ且つ案内部７０内に挿入された突部７１とを有する。案内部７０は第２収容部３６の左右の係合部６１の前側でその上下略中央に裏側から凹入状に設けられ、また突部７１は係合爪６２の外側に設けられている。突部７１は案内部７０内を前後方向に相対移動自在であり、案内部７０の上下の案内面７０ａ，７０ｂとの間に上下方向の隙間があり、その範囲内で上下方向に移動し、また突部７１廻りに相対回動可能である。
【００３５】
なお、案内部７０の上下の案内面７０ａ，７０ｂは後ろ側が上下に若干広がり、突部７１は前後方向に長くなっているが、案内部７０の上下の案内面７０ａ，７０ｂを略平行とし、突部７１を円形状にしてもよい。
【００３６】
このような構成のスロットマシンにおいて、スタートレバー１９を操作すると、回転表示手段９の回転リール８ａ〜８ｃが回転する。回転リール８ａ〜８ｃの回転開始から所定時間が経過して停止ボタン２２ａ〜２２ｃを停止操作できる状態になると、各操作部材２６内の発光体４２が点灯して操作部４４を発光させて、遊技者に対して停止操作が可能な状態であることが報知される。そして、遊技者が適宜タイミングで３個の操作部材２６を順次押圧操作すると、各スイッチ２９からの信号により、対応する回転リール８ａ〜８ｃが回転を順次停止し、また発光体４２が消灯して操作部材２６の停止操作の完了を報知する。
【００３７】
操作部材２６は通常は戻しバネ２７を含む保持手段により待機位置Ｘに保持されている。操作部材２６は戻しバネ２７により戻り方向に図３のａ矢示方向に付勢されているため、山形状の塞ぎ部５５の前面が山形状の開口縁３４の裏面に当接して待機位置Ｘに保持されている。操作部材２６が待機位置Ｘにある場合には、例えば図３に示すように、被検知片２８の各被検知部４７ａ〜４７ｃがスイッチ２９の検知位置Ｙから外れており、スイッチ２９は非検知状態にある。
【００３８】
操作部材２６を操作する際には操作部４４を後方へと押圧するが、操作部材２６がフローティング支持手段５１により略同一平面上でフローティング状態に支持されているので、そのフローティング範囲内で操作部４４を任意の方向に押圧する。すると操作部材２６が戻しバネ２７に抗してフローティングしながら後退し、被検知片２８の第１被検知部４７ａ〜第３被検知部４７ｃの何れかがスイッチ２９の検知位置Ｙに対応してスイッチ２９の光を遮光又は反射することとなり、スイッチ２９が操作部材２６の後退を検知する。
【００３９】
例えば操作部４４の上下方向の略中央の中央操作面４４ａを正面から図８のｂ矢示方向に操作すると、戻しバネ２７に抗して操作部材２６がｂ矢示方向へと略真っ直ぐに後退する。このときフローティング支持手段５１を構成する第１案内手段５２側では、カム従動部６８が第１カム面６７ａから後方へと離れ、また第２案内手段５３側では突部７１が案内部７０内を後方へとｂ矢示方向に移動する。そして、操作部材２６がｂ矢示方向に後退すると、その第１被検知部４７ａ又は第３被検知部４７ｃが図８に示すようにスイッチ２９の検知位置Ｙに進入するため、スイッチ２９が操作部材２６の後退を検知する。
【００４０】
操作部４４の上下方向の略中央の中央操作面４４ａの上近傍又はその上側の傾斜操作面４４ｂを図９のｃ矢示方向に操作すると、その操作方向が第２案内手段５３の前近傍に向いているため、操作部材２６が戻しバネ２７に抗して若干下降しながら後退する。そして、第２案内手段５３の突部７１が案内部７０の下側に当接しながら、その案内部７０の内面に沿って後方に摺動する。これによって被検知片２８の第１被検知部４７ａが図９に示すようにスイッチ２９の検知位置Ｙに進入するため、スイッチ２９が操作部材２６の後退を検知する。なお、このとき第１案内手段５２側では、カム従動部６８が第１カム面６７ａから後方へと離れて行く。
【００４１】
操作部４４の上下方向の略中央の操作面４４ａの下近傍又はその下側の傾斜操作面４４ｃを図１０のｄ矢示方向に操作すると、その操作方向が第２案内手段５３の前近傍に向いているため、操作部材２６は戻しバネ２７に抗して若干上昇しながら後退する。そして、第２案内手段５３の突部７１が案内部７０の上側に当接しながら、その案内部７０の内面に沿って後方に摺動する。これによって被検知片２８の第１被検知部４７ａ又は第３被検知部４７ｃが図１０に示すようにスイッチ２９の検知位置Ｙに進入するため、スイッチ２９が操作部材２６の後退を検知する。なお、このとき第１案内手段５２側では、カム従動部６８が第１カム面６７ａから後方へと離れて行く。
【００４２】
操作部４４の上側の傾斜操作面４４ｂを図１１のｅ矢示方向に操作すると、操作部材２６の第１案内手段５２側に下向きの力が作用するため、カム従動部６８が第１カム面６７ａから第３カム面６７ｃに沿って下方へと摺動し、そのカム面６７ａ，６７ｃにより後方へと押圧される。一方、第２案内手段５３側では、操作部材２６の後部に上向きの力が作用し、突部７１が案内部７０の上側の案内面７０ａに当接しながら後方へと摺動する。このため図１１に示すように操作部材２６が後退しながら前が下り後ろが上がる。これによって被検知片２８の第２被検知部４７ｂ又は第３被検知部４７ｃが図１１に示すようにスイッチ２９の検知位置Ｙに進入するため、スイッチ２９が操作部材２６の後退を検知する。
【００４３】
操作部４４の下側の傾斜操作面４４ｃを図１２のｆ矢示方向に操作すると、操作部材２６の第１案内手段５２側に上向きの力が作用するため、カム従動部６８がカム面６７ａ，６７ｂに沿って上方へと摺動し、そのカム面６７ａ，６７ｂにより後方へと押圧される。一方、第２案内手段５３側では、操作部材２６の後部に下向きの力が作用し、突部７１が案内部７０の下側の案内面７０ｂに当接しながら後方へと摺動する。このため図１２に示すように操作部材２６が後退しながら前が上がり後ろが下る。これによって被検知片２８の第１被検知部４７ａが図１２に示すようにスイッチ２９の検知位置Ｙに進入し、スイッチ２９が操作部材２６の後退を検知する。
【００４４】
このように構成すれば、操作部４４を略同一面上でｂ〜ｆのどの方向に押圧操作した場合にも、フローティング支持手段５１によるフローティング範囲内で戻しバネ２７に抗して操作部材２６を後退させて、その操作部材２６の後退をスイッチ２９で検知することができる。従って、略同一面上で操作部４４を任意の方向に操作できるので、操作部材２６の操作時の利便性が向上すると共に、特定の方向に操作部材２６を押圧操作したときに手指に大きな衝撃が加わる等の問題もなく、操作部材２６を容易且つ安全に操作することできる。
【００４５】
また操作カバー３０の開口３３は上下方向に長く、操作部材２６の操作部４４側が上下方向の操作力を加えた場合には、操作カバー３０の開口３３内で操作部４４が上下方向に移動するが、操作部材２６には突出部５４の外周に開口３３を閉塞する塞ぎ部５５があるので、開口３３内での隙間の発生を防止できる。
【００４６】
しかも、塞ぎ部５５は待機位置Ｘでは操作カバー３０の開口縁３４に当接しているが、接離自在に当接するカム部６７とカム従動部６８とを備えたカム式の第１案内手段５２に採用しており、操作部４４を介して操作部材２６を後方へと真っ直ぐに操作した場合は勿論のこと、操作部材２６の操作部４４側が上下に移動する方向に操作した場合にも、第１案内手段５２のカム部６７とカム従動部６８との間のカム作用により操作部材２６を後方へと後退させるため、塞ぎ部５５が開口縁３４の裏側を摺動する場合の擦過痕の発生等を防止できる。
【００４７】
第２案内手段５３は案内部７０と突部７１とにより、前後方向に相対移動可能で且つ接触位置を支点として相対回動可能に構成すると共に、被検知片２８の後端よりも第１案内手段５２側に配置しているため、案内部７０と突部７１との間の余裕を小さくしながらも被検知片２８の後端の動き量を大きくすることができる。
【００４８】
図１３は本発明の第２の実施形態を例示する。この実施形態では、操作部材２６の後端から後方に突出する上下一対の被検知片２８の夫々に対応してスイッチ２９が設けられている。両被検知片２８は上下に略対象に構成されている。他の構成は第１の実施形態と同様である。
【００４９】
操作部材２６の上下方向の略中央に係合爪６２、第２案内手段５３を配置した場合、被検知片２８は操作部材２６の上下方向の略中央から外れた位置に配置することになる。しかし、係合爪６２、第２案内手段５３の略中央の両側に一対の被検知片２８を略対象に配置し、この各被検知片２８に対応してスイッチ２９を設けることにより、操作部材２６の前下がりのフローティング動作、前上がりのフローティング動作を略均等に検知することができる。
【００５０】
この実施形態の場合には、２個のスイッチ２９の内、何れか一方が被検知部２８を検知したときに操作部材２６を操作したことになるが、２個のスイッチ２９の出力の組み合わせによって、操作部材２６の操作方向を判別することもできる。
【００５１】
図１４、図１５は本発明の第３の実施形態を例示する。第２案内手段５３は保持部材２５の第２収容部３６の両側に形成された前後方向の長孔状の案内部７０と、操作部材２６の第２部材５０の外周壁部５９に形成された突部７１とを備えている。突部７１は弾性片７９の外側に設けられ、案内部７０に対して係脱自在に係合している。弾性片７９は後端に係脱用の操作部７９ａを有し、外周壁部５９の一部に設けられている。他の構成は第１の実施形態と同様である。
【００５２】
このように第２案内手段５３の案内部７０は長孔状に構成してもよい。また弾性片７９に突部７１を設け、その突部７１を長孔状の案内部７０に係合させることにより、第２案内手段５３で抜け止めを兼用することもできる。
【００５３】
図１６、図１７は本発明の第４の実施形態を例示する。操作部材２６は操作部４４、突出部５４、塞ぎ部５５及び周壁部５６を一体に備えた一体構造の中空体により構成され、その周壁部５６の後端から後方に被検知片２８が突出している。被検知片２８は操作部材２６の上下方向の略中央に配置され、この被検知片２８に対応して基板３９にスイッチ２９が設けられている。
【００５４】
戻しバネ２７は円錐状の圧縮コイルバネであって、第１収容部３５と第２収容部３６との間の段部３８と、操作部材２６の塞ぎ部５５の裏側等の適当箇所との間に設けられている。第２案内手段５３は第２収容部３６に形成された凹部８０と、操作部材２６の周壁部５６に形成された突部７１とを被検知片２８を挟んで上下両側に備えている。各凹部８０の反対側の案内面８０ａ，８０ｂにより案内部７０が構成されている。なお、第１の実施形態の係合爪６２、係合部６１、反射壁部６０に相当する構成はない。他の構成は第１の実施形態と同様である。
【００５５】
この実施形態のように操作部材２６は一体に構成してもよい。また戻しバネ２７に円錐状の圧縮コイルバネを使用して、操作部材２６の操作部４４に近い側に配置することも可能である。被検知片２８を略中央に配置し、この両側に分けて第２案内手段５３を設けてもよい。
【００５６】
図１８は本発明の第５の実施形態を例示する。この実施形態では、操作部材２６は操作部４４が操作パネル部１２の上面部１２ａと前面部１２ｂとの隅部に位置するように、操作部材２６を傾斜させて配置されている。他の構成は第１の実施形態と同様である。
【００５７】
このようにすれば、操作部４４を操作部材２６の長手方向である斜め下方に押圧する操作を中心に、操作部４４を上面部１２ａ又は前面部１２ｂに略沿う方向に操作することもできる。従って、操作部材２６はこのように斜め下方に向けて配置してもよい。
【００５８】
以上、本発明の各実施形態について詳述したが、本発明はこの各実施形態に限定されるものではなく、本発明の趣旨を逸脱しない範囲で種々の変更が可能である。例えば、実施形態では操作部材２６の長手方向を前後方向又は斜め方向に向けて配置しているが、操作部４４が上面側となるように上下方向に向けて配置することも可能である。
【００５９】
操作部材２６のフローティング動作を安定化させる上では、操作部材２６の長手方向に配置された第１案内手段５２と第２案内手段５３とによりフローティング支持手段５１を構成するのが望ましいが、操作部材２６の操作部４４の近傍に配置された第１案内手段５２と同様の機構によりフローティング支持手段５１を構成してもよい。戻しバネ２７は圧縮コイルバネの他、引っ張りバネ、つる巻きバネ等を使用してもよい。
【００６０】
第１案内手段５２は、操作部４４を待機位置Ｘを通る操作方向に押圧したときにその操作方向に離間し、且つ操作部４４をその操作方向と交差する交差方向に押圧したときに操作部材２６を後退させる構成であればよく、カム部６７を操作部材２６に、カム従動部６８を保持部材２５に夫々設けてもよい。第２案内手段５３は操作部４４の操作方向に応じて操作部材２６を追従させるものであればよく、待機位置Ｘを通る操作方向の長孔状の案内部７０を操作部材２６に設け、この案内部７０に入る突部７１を保持部材２５に設けてもよい。
【００６１】
更に各実施形態はスロットマシンの停止ボタン２２ａ〜２２ｃについて例示しているが、スロットマシンに限らず、パチンコ機、アレンジボール機、雀球機その他の各種の遊技機においても同様に実施可能である。
【符号の説明】
【００６２】
２０  操作スイッチ装置
２５  保持部材
２６  操作部材
２７  戻しバネ
２８  被検知部
２９  スイッチ
４４  操作部
４４ａ  中央操作面（第１操作面）
４４ｂ，４４ｃ  傾斜操作面（第２操作面）
５１  フローティング支持手段
５２  第１案内手段
５３  第２案内手段
５４  突出部
５５  塞ぎ部
６７  カム部
６８  カム従動部
７０  案内部
７１  突部
Ｘ  待機位置
【図１】
0005490754.tif 000002
【図２】
0005490754.tif 000003
【図３】
0005490754.tif 000004
【図４】
0005490754.tif 000005
【図５】
0005490754.tif 000006
【図６】
0005490754.tif 000007
【図７】
0005490754.tif 000008
【図８】
0005490754.tif 000009
【図９】
0005490754.tif 000010
【図１０】
0005490754.tif 000011
【図１１】
0005490754.tif 000012
【図１２】
0005490754.tif 000013
【図１３】
0005490754.tif 000014
【図１４】
0005490754.tif 000015
【図１５】
0005490754.tif 000016
【図１６】
0005490754.tif 000017
【図１７】
0005490754.tif 000018
【図１８】
0005490754.tif 000019